(57)【特許請求の範囲】
【請求項１】
開口部を選択的に閉じるためのスライディングクロージャであって、
経路に沿ってスライド可能になるように開口部に対して取り付けられたパネルであって、前記経路が、開位置と閉位置の間で、前記パネルの面に平行な方向に開口部の少なくとも１つを越えて伸長し、前記パネルは、前記経路に垂直な前記パネルの主要な一側面に沿って伸長する先端部を有する、パネル；
前記経路に対して固定して配置される当接表面；および
前記パネルが前記閉位置に在るとき、回転の軸の周囲に回転自在に支持される止め部材であって、前記経路に沿った前記パネルのスライドを妨げるように前記当接表面と前記パネルの領域との間に前記止め部材が置かれる係合状態と、前記止め部材が前記経路に沿った前記パネルのスライドを可能にする非係合状態との間で回転自在である、止め部材とを含み、
ここで前記止め部材は、前記係合状態で、前記パネルの領域と前記当接表面との間で前記止め部材にかけられる圧縮力により前記経路に沿った前記パネルのスライドが対抗されるように構成され、ここで前記パネルの領域は前記パネルの前記先端部より内側に位置することを特徴とする、スライディングクロージャ。
【請求項２】
前記開口部が、少なくとも部分的にフレームで画定され、前記当接表面が、前記フレームと堅く相互連結され又は一体的に形成された細長い部材により設けられる、請求項１に記載のスライディングクロージャ。
【請求項３】
前記止め部材が、前記経路に対して横方向に配置される細長い要素である、請求項１に記載のスライディングクロージャ。
【請求項４】
前記止め部材を支持し、前記止め部材を前記係合状態に促進するように構成されている、戻し機構をさらに含む、請求項１に記載のスライディングクロージャ。
【請求項５】
前記係合状態から前記非係合状態へと前記止め部材を変位させるために前記止め部材と機械的に関連付けられるハンドルをさらに含む、請求項１に記載のスライディングクロージャ。
【請求項６】
前記当接表面が、前記経路に沿った位置で前記経路に対して横方向に配置される保持部材により設けられ、前記保持部材が、前記経路の反対側に第１の側部と第２の側部とを有し、それにより前記パネルの少なくとも一部が第１の側部と第２の側部の間を通り、前記当接表面が前記第１の側部に対して堅く支持され、前記第２の側部は前記当接表面に対して反対にパネル当接領域を設け、それにより、前記止め部材が前記係合状態に入り且つ力が加えられることで前記経路に沿って前記パネルをスライドさせると、前記第２の側部の前記パネル当接領域は、前記当接表面からの前記パネルの分離に対抗する、請求項１に記載のスライディングクロージャ。
【請求項７】
開口部を選択的に閉じるためのスライディングクロージャであって、
経路に沿ってスライド可能になるように開口部に対して取り付けられたパネルであって、前記経路が、前記パネルの面に平行な方向に開口部の少なくとも１つを越えて伸長する、パネル；
前記経路に対して固定して配置される少なくとも１つの当接表面；および
回転の軸の周囲に回転自在に支持される止め部材であって、前記止め部材は、前記回転の軸から可変の半径を有する可変の半径輪郭を備えた接触表面を有しており、その結果、前記パネルが前記閉位置にある間に、前記止め部材の回転が、前記止め部材が前記経路に沿った前記パネルのスライドを可能にする非係合状態と、前記止め部材が前記少なくとも１つの当接表面と、前記パネルの面に平行な前記パネルの平面領域との間で留められ、かつ前記パネルの先端部から内側に位置づけられる係合状態の間で、前記止め部材を配置し、それにより、前記閉状態から前記開状態に向かう前記経路に沿った前記パネルのスライドを妨げるように前記パネルに対して固く締め付けてなる、止め部材を含み、
ここで前記止め部材は、前記係合状態で、前記当接表面と前記パネルの前記平面領域の間に挿入された前記止め部材における圧縮力により前記パネルの前記平面領域に対する前記止め金具の前記締め付けにより生み出される摩擦により前記経路に沿った前記パネルのスライドが対抗されるように、前記当接表面に対して配置される、スライディングクロージャ。
【請求項８】
前記開口部が、少なくとも部分的にフレームで画定され、当接表面が、前記フレームと堅く相互連結され又は一体的に形成された細長い部材により設けられる、請求項７に記載のスライディングクロージャ。
【請求項９】
前記止め部材が、前記経路に対して横方向に配置される細長い要素である、請求項７に記載のスライディングクロージャ。
【請求項１０】
前記止め部材を支持し、前記止め部材を前記係合状態に促進するように構成されている、戻し機構をさらに含む、請求項７に記載のスライディングクロージャ。
【請求項１１】
前記係合状態から前記非係合状態へと前記止め部材を変位させるために前記止め部材と機械的に関連付けられるハンドルをさらに含む、請求項７に記載のスライディングクロージャ。
【請求項１２】
前記当接表面が、前記経路に沿った位置で前記経路に対して横方向に配置される保持部材により設けられ、前記保持部材が、前記経路の反対側に第１の側部と第２の側部とを有し、それにより前記パネルの少なくとも一部が第１の側部と第２の側部の間を通り、前記当接表面が前記第１の側部に対して堅く支持され、前記第２の側部は前記当接表面に対して反対にパネル当接領域を設け、それにより、前記止め部材が前記係合状態に入り且つ力が加えられることで前記経路に沿って前記パネルをスライドさせると、前記第２の側部の前記パネル当接領域は、前記当接表面からの前記パネルの分離に対抗する、請求項７に記載のスライディングクロージャ。
【発明の詳細な説明】
【技術分野】
【０００１】
本開示の主題は、一般にスライド式パネルのための固定機構に関し、特にスライディングドアまたは窓のスライド式パネルを固定するための固定機構に関する。
【背景技術】
【０００２】
スライド式パネルのための固定機構は公知であり、例えば、米国特許出願第４，０６２，５７６号は、水平運動および垂直運動に対してスライド式パネルをロックするデバイスを開示している。デバイスは、支持フランジとは反対に作用する偏心器（ｅｃｃｅｎｔｒｉｃ）によってパネルトラック（ｐａｎｅｌ ｔｒａｃｋ）の隆起された（ｕｐｒａｉｓｅｄ）壁の１つに固定される。支持フランジはスライドストップを運び、パネルがそのパネルトラックにおいてスライドするのを防ぐ。パネルトラックから出る窓の垂直運動は、上部パネルトラックにおいて固定された板ばねを含むリフトストップまたは支持フランジ上のリフトストップ要素によって防がれる。
【０００３】
米国特許第４，３００，７９５号は、対向する平面支持フランジの方へとばね付勢される二重偏心器（ｄｕａｌ ｅｃｃｅｎｔｒｉｃｓ）を有するロックユニットを含む装置を開示している。ロックユニットは、従来のスライド式パネルのトラックの選択される側壁が、板ばねの力によって偏心器と支持フランジとの間に押し込まれるように取り付けられる。スライドストップは、支持フランジからパネルトラックの作用領域に伸長し、パネルの水平のスライド移動を防ぐ。装置はさらに、スライド式パネルが、下部パネルトラックから離れて（ｃｌｅａｒ ｏｆ）上げられるのを防ぐためにロックユニットと連動して使用され得るリフトストップを含む。リフトストップは、Ｕ字型構造を想定して付勢されている板ばねを含む。板ばね脚部は、パネルの上の上部パネルトラックへと挿入され得るように広げられている。
【０００４】
ＡＵ １９９１８６９３２は、上げ下げ窓をスライドさせるためのロック機構が、アンカーおよびラッチを含むことを開示している。ラッチは成形チャネルを含み、その１つのアーム（ｌｉｍｂ）は、それに沿って、スライディングサッシの後縁にスライド可能に且つ枢動可能に係合するためのビーズを形成している。成形チャネルはさらに、中にアンカーが位置する中央逃げ部（ｃｅｎｔｒａｌ ｒｅｌｉｅｆ ｐｏｒｔｉｏｎ）、および底面に隣接した、窓の中枠上に形成された段に係合するのに適している突出リップを含む。アンカーは、スライディングサッシの後縁に係合するのに適している及びさらにロックシリンダーを受け、そこから後方に面するタブを突き出る孔部を含む、本体を含む。第１のロック位置では、成形チャネルは、成形チャネルとタブとの間の干渉が原因でアンカーに対する枢動が妨げられる。第２の非ロック位置では、成形チャネルは、スライディングサッシが開閉され得るよう突出リップが段なしで枢動することができるようにアンカーに対して自由に枢動する。窓が閉じられたときに自動的にラッチをかける（ｌａｔｃｈ）ために、ばねが成形チャネルと一体的に提供され、これによって、成形チャネルを第１の位置へと偏向させるために、アンカー上のプラットフォームに対してバイアスがかけられる（ｂｉａｓｅｓ）。
【発明の概要】
【０００５】
本開示の主題の一例に従って、スライディングドアが提供され、該スライディングドアは、経路に沿ってスライドするように構成されたパネルと；経路に沿った位置に経路に対して横方向に配置された保持部材であって、保持部材が、第２の側部に連結された第１の側部を有し、第２の側部が、第１の側部とは離れて間隔を置かれ、それによりその間にチャネルを画定し、チャネルが、パネルの少なくともセグメントを中に受けるように構成されており、保持部材がさらに、第１の側部からチャネルの内部に横方向に伸長する当接部分を含んで、その縁部と第２の側部との間に開口部を画定し、開口部が、それを通るセグメントのスライドを可能にするように構成されている、保持部材と；および止め部材であって、止め部材の第１の端部が当接部分および第１の側部に係合し、止め部材の第２の端部がセグメントに係合し、それにより少なくとも当接部分に向かう方向でのパネルのスライドを妨げる、係合状態と、止め部材がセグメントとの係合を解き、それにより当接部分へのパネルのスライドを可能にする、非係合状態との間で変位可能である（ｄｉｓｐｌａｃｅａｂｌｅ）、止め部材とを含む。
【０００６】
止め部材は、係合状態で、圧縮力がセグメントおよび止め部材にかけられ、それにより当接部分へのパネルのスライドが対抗されるように構成され得る。経路は、少なくとも１つの輪郭部分（ｐｒｏｆｉｌｅ）によって画定された開口部に沿って伸長することができる。保持部材は、少なくとも１つの輪郭部分と一体的に形成された縦部材であり得る。
【０００７】
止め部材は、その長さに沿ってチャネル内に配置され、係合状態で、セグメントの少なくとも一部に係合するように構成された、細長いロッドであり得る。セグメントは、パネルの一側面に沿って伸長するパネルの縁部であり得、その側面は、経路に対して横方向に配置され、および細長いロッドは、縁部の少なくとも大部分に係合するように構成され得る。
【０００８】
止め部材は、回転非対称である断面を含むことができ、回転非対称は、止め部材が非係合状態にある第１の配向と、止め部材が係合状態にある第２の配向との間で止め部材が回転され得るように構成されている。止め部材は、その回転の軸が回転非対称の軸と平行になり得るようにヒンジ上に回転自在に取り付けられ得る。
【０００９】
止め部材は、矩形断面を含むことができ、第１の配向と第２の配向との間で軸まわりを回転させられるように構成され得、ここで第２の配向において、矩形断面は、矩形断面の第１の端部が当接部分および第１の側部に係合し、一方で矩形断面の第２の端部がパネルのセグメントに係合するようなパネルに対する角度で配置され得る。
【００１０】
止め部材は、当接部分および第１の側部に当接するように構成された第１の端部およびセグメントに当接するように構成された第２の端部を有する、非対称の楕円形断面を含むことができる。非対称の楕円形断面は、第１の端部で画定された円形部分および第２の端部で画定された突出部分を含むことができ、突出部分は、セグメントに選択的に係合するように構成されている。セグメントは、突出部分に係合するように構成された凹部を有する係合縁部を含むことができる。当接部分および第１の側部はともに、円形部分を中に回転自在に保持するように構成された円形シートを画定する。
【００１１】
セグメントは、止め部材に面するショルダー部分を含むことができ、ショルダー部分は、係合状態において、止め部材の第２の端部がショルダー部分に係合するように構成されている。
【００１２】
スライディングドアは、止め部材を支持し、止め部材を係合状態に促進するように構成されている、戻し機構をさらに含むことができる。
【００１３】
スライディングドアは、係合状態から非係合状態への止め部材の変位（ｄｉｓｐｌａｃｅｍｅｎｔ）を始動させるために構成され得るように止め部材に対して配置されるハンドルをさらに含むことができる。ハンドルは、セグメントに隣接したパネル上に取り付けられ得、係合状態から非係合状態への止め部材の変位を始動させるように構成され得る。
【００１４】
本開示の主題のさらなる態様に従って、経路に沿ってスライドするように構成されたスライディングドアのパネルのセグメントを固定するための固定機構が提供される。固定機構は、経路に沿った位置に経路に対して横方向に配置された保持部材であって、保持部材が、第２の側部に連結された第１の側部を有し、第２の側部が、第１の側部とは離れて間隔を置かれ、それによりその間にチャネルを画定し、チャネルが、パネルの少なくともセグメントを中に受けるように構成されており、保持部材がさらに、第１の側部からチャネルの内部に横方向に伸長する当接部分を含んで、その縁部と第２の側部との間に開口部を画定し、開口部が、それを通るセグメントのスライドを可能にするように構成されている、保持部材と；および止め部材であって、止め部材の第１の端部が当接部分および第１の側部に係合し、止め部材の第２の端部がセグメントに係合し、それにより少なくとも当接部分に向かう方向でのパネルのスライドを妨げるように構成され得る、係合状態と、止め部材がセグメントとの係合を解き、それにより当接部分へのパネルのスライドを可能にする、非係合状態との間で変位可能である、止め部材とを含み、止め部材は、係合状態で、圧縮力がセグメントおよび止め部材にかけられ、それにより当接部分へのパネルのスライドが対抗されるように構成され得る。
【００１５】
本開示の主題のまた別の態様に従って、スライディングドアが提供される、該スライディングドアは、経路に沿ってスライドするように構成されたパネルと；経路に沿った位置に隣接して経路に対して横方向に配置された止め部材であって、止め部材が、軸上に枢動可能に取り付けられ、止め部材がパネルのセグメントに係合し、それによりパネルのスライドを妨げる、係合状態と、止め部材がセグメントとの係合を解き、それによりパネルのスライドが可能なる、非係合状態との間で変位可能である、止め部材とを含み、ここで止め部材は、係合状態で、圧縮力が止め部材によってセグメントにかけられ、それにより当接部分へのパネルのスライドが対抗され得るように構成され得る。
【００１６】
止め部材は、パネル上に取り付けられ、経路に沿ってともにスライドするように構成され得、ここでスライディングドアはさらに、経路に沿った位置に経路に対して横方向に配置された保持部材を含み、保持部材は、第２の側部に連結された第１の側部を有し、第２の側部は、第１の側部とは離れて間隔を置かれ、それによりその間にチャネルを画定し、チャネルは、パネルの少なくともセグメントを中に受けるように構成されており、保持部材はさらに、第１の側部からチャネルの内部に横方向に伸長する当接部分を含んで、その縁部と第２の側部との間に開口部を画定し、開口部は、それを通るセグメントのスライドを可能にするように構成されており、および係合状態において、止め部材の第１の端部は当接部分および第１の側部に係合し、止め部材の第２の端部はセグメントに係合し、それにより少なくとも当接部分に向かう方向でのパネルのスライドを妨げ、および非係合状態において、止め部材は、セグメントとの係合を解き、それにより当接部分へのパネルのスライドを可能にするように構成され得る。
【図面の簡単な説明】
【００１７】
本開示を理解する及びそれが実際にどのように実行され得るかを確認するために、添付の図面を参照して、非限定的な例のみによって、実施形態がここで記載される。
【００１８】
【図１Ａ】図１Ａは、本開示の主題の一例に従う、固定機構を有するスライド式パネルの斜視図である。
【図２Ａ】図２Ａは、図１Ａのスライド式パネルの側面の輪郭部分の平面図である。
【図２Ｂ】図２Ｂは、図１Ａの固定機構の止め部材の斜視図である。
【図３Ａ】図３Ａは、ラインＡ−Ａに沿って得られた図１Ａのスライド式パネルの断面図であり、固定機構は、その固定位置にある。
【図３Ｂ】図３Ｂは、ラインＡ−Ａに沿って得られた図１Ａのスライド式パネルの断面図であり、固定機構は、その解除位置にある。
【図３Ｃ】図３Ｃは、ラインＡ−Ａに沿って得られた図１Ａのスライド式パネルの断面図であり、スライド式パネルは、その開放位置にある。
【図４Ａ】図４Ａは、図３Ａの保持部材の拡大図である。
【図４Ｂ】図４Ｂは、図３Ｂの保持部材の拡大図である。
【図４Ｃ】図４Ｃは、図３Ｃの保持部材の拡大図である。
【図５Ａ】図５Ａは、本開示の主題の別の例に従う、固定機構を有するスライド式パネルの斜視図である。
【図５Ｂ】図５Ｂは、図５Ａのスライド式パネルの平面図である。
【図５Ｃ】図５Ｃは、図５Ａの固定機構の止め部材の斜視図である。
【図６Ａ】図６Ａは、ラインＡ−Ａに沿って得られた図５Ａのスライド式パネルの断面図であり、固定機構は、その固定位置にある。
【図６Ｂ】図６Ｂは、ラインＡ−Ａに沿って得られた図５Ａのスライド式パネルの断面図であり、固定機構は、その解除位置にある。
【図６Ｃ】図６Ｃは、ラインＡ−Ａに沿って得られた図５Ａのスライド式パネルの断面図であり、スライド式パネルは、その開放位置にある。
【図７Ａ】図７Ａは、図６Ａの保持部材の拡大図である。
【図７Ｂ】図７Ｂは、図６Ｂの保持部材の拡大図である。
【図７Ｃ】図７Ｃは、図６Ｃの保持部材の拡大図である。
【図８Ａ】図８Ａは、本開示の主題のさらに別の例に従う、固定機構を有するスライド式パネルの平面断面図である。
【図８Ｂ】図８Ｂは、固定位置での図８Ａの保持部材の拡大図である。
【図８Ｃ】図８Ｃは、解除位置での図８Ａの保持部材の拡大図である。
【発明を実施するための形態】
【００１９】
図１Ａから図１Ｂは、第１の輪郭部分（１２）と第２の輪郭部分（１４）の間で画定される、開口部（５）を閉じるためのスライディングドア（１０）を示す。図示された例によれば、第１の輪郭部分（１２）および第２の輪郭部分（１４）は、開口部（５）に対し垂直に配置される。スライディングドア（１０）は、第１の輪郭部分（１２）と第２の輪郭部分（１４）の間で画定された経路（７）に沿ってスライドするように構成されるパネル（１５）を含む。
【００２０】
他の例によれば、２つの輪郭部分と反対に、２つの壁部分の間で開口部を画定することができることが認識される。さらに、スライディングドア（１０）は、開口部で画定されない経路（７）に沿ってスライドするように構成することができるが、むしろ、経路は２つの点で画定されて、その結果、パネル（１５）は、２つの点の間に配置されるようにスライドすることができ、それによって経路によって画定された領域を横断することを妨げる。
【００２１】
さらなる例によれば、スライディングドア（１０）は、一方の側面に第１の側面の輪郭部分と、他方の側面に第２の側面の輪郭部分と、を有する開口部上の経路に沿って伸長する２つのパネルを含むことができる。パネルは、並んでいるスライド窓として、開口部に沿ってスライドするように配置することができる。この例によれば、各パネルは、一方の側面の輪郭部分に当接するように構成することができ、その一方で、パネルの反対側の縁部は、他方のパネルに隣接して配置される。
【００２２】
スライディングドア（１０）は、第２の側部（２２ｂ）に連結された第１の側部（２２ａ）を有し、かつ、第１の側部（２２ａ）と離れて間隔をおかれ、それによりチャネル（２４）をその間に画定する、縦部材でありうる保持部材（２０）をさらに含む。チャネル（２４）は、パネル（１５）の少なくともセグメント（１７）を中に受けるように構成される。
【００２３】
保持部材（２０）は、経路（７）に沿った位置で経路（７）に対し横方向に配置される。つまり、例えば、もし、経路（７）が出入口に沿って実質的に水平に伸長し、かつ、パネル（１５）が左右に選択的にスライドすることにより出入口を閉じるように構成される場合、保持部材（２０）は、経路（７）に沿う点で、実質的に垂直に配置される。保持部材（２０）は経路に沿って配置され、その結果、パネル（１５）がスライドして保持部材（２０）に到達する時、そのセグメント（１７）がチャネル（２４）を通ってスライドする。保持部材（２０）はパネルの高さに沿って伸長することができ、その結果、パネル（１５）の縁部セグメントの実質的な全体がチャネル（２４）の内部に配置されうる。
【００２４】
図示された例によれば、保持部材（２０）は第２の輪郭部分（１４）と一体的に形成され、その結果、保持部材（２０）は経路（７）の縁部すなわち出入口の枠に隣接して配置される。
【００２５】
しかしながら、他の例によれば、保持部材（２０）は、第１の輪郭部分（１２）に隣接するように、経路（７）に沿った他の位置に配置することができ、または、第１の輪郭部分（１２）または第２の輪郭部分（１４）から離れて間隔をおかれることができる。
【００２６】
他の例によれば、経路（７）は、例えば窓の開口部に沿って、垂直に伸長することができ、かつパネル（１５）は、垂直なスライド窓のように、上下に選択的にスライドすることにより、開口部を閉じるように構成されうる。この例によれば、保持部材（２０）は、経路（７）に沿った点で、実質的に水平に配置することができる。前述の例と同様に、保持部材（２０）は垂直な経路に沿って配置され、その結果、パネル（１５）がスライドして保持部材（２０）に到達する時、そのセグメント（１７）がチャネル（２４）を通ってスライドする。
【００２７】
この例によれば、第１の輪郭部分（１２）は、垂直なスライド窓の開口部の上部に取り付けられる一方、第２の輪郭部分（１４）は垂直なスライド窓の開口部の底部に取り付けられる。保持部材（２０）は第２の輪郭部分（１４）に連結されることができ、その結果、保持部材（２０）は経路（７）の縁部すなわち窓の底部に隣接して配置される。
【００２８】
この例では、保持部材（２０）はパネル（１５）の幅に沿って伸長することができ、その結果、実質的に、パネル（１５）の縁部セグメント全体がチャネル（２４）の内部に配置されうることが留意される。
【００２９】
図２Ａで最もよく確認できるように、保持部材（２０）は、チャネル（２４）の内部で第１の側部（２２ａ）から横方向に伸長して、その縁部と第２の側部（２２ｂ）との間に開口部（２５）を画定する、当接部分（２６）をさらに含む。開口部（２５）は、セグメント（１７）が開口部を通ってチャネル（２４）へとスライドできるように構成される。
【００３０】
保持部材（２０）が第１の輪郭部分（１２）および第２の輪郭部分（１４）から離れて取り付けられた場合、パネル（１５）が、第１の輪郭部分（１２）から第２の輪郭部分（１４）の方へそこを通ってスライドすることができ、かつ逆に第２の輪郭部分（１４）から第１の輪郭部分（１２）の方へそこを通ってスライドすることができるように、開口部（２５）およびチャネル（２４）が構成されることが認識される。したがって、開口部（２５）の幅、すなわち当接部分（２６）の縁部と第２の側部（２２ｂ）の間の距離は、パネルが開口部を通ってスライドできるように構成される。
【００３１】
スライディングドア（１０）は、当接部分（２６）および第１の側部（２２ａ）と係合するように、チャネル（２４）内に配置される止め部材（３０）をさらに含む。
【００３２】
本例において、セグメントは、パネルの１側面、例えばその高さ、に沿って伸長するパネルの縁部である。側面は、経路に対して横方向に配置される。同様に、保持部材（２０）およびチャネル（２４）は、パネル（１５）の高さに沿って伸長し、したがって、止め部材（３０）は、チャネルの長さに沿ってチャネル（２４）の内部に配置される細長いロッドでありうる。したがって、止め部材（３０）は当接部分（２６）および第１の側部（２２ａ）の大部分または全長と係合するように構成され得る。図２Ａおよび図３Ａにおいて示されるように、第２の輪郭部分（１４）は、チャネル（２４）の内部に画定された溝部（２９ａ）（図２Ａに最もよく確認できる）に配置することができる密閉要素（２８ａ）を含む。溝部（２９ａ）は、パネル（１５）がスライドする経路（７）と密閉要素（２８ａ）が位置合わせされるように画定される。このように、パネル（１５）の縁部は、密閉要素（２８ａ）に当接するように構成され、空気がその間を流れるのを妨げる。同様に、第２の側部（２２ｂ）は、チャネル（２４）の内部で画定され、かつ、パネル（１５）のセグメントの面に当接するように構成される溝部（２９ｂ）に配置しうる密閉要素（２８ｂ）を含む。
【００３３】
密閉要素（２８ａ）および（２８ｂ）は、衝撃吸収部材に交換でき、または、密閉性および衝撃吸収性を提供するように構成することができ、溝部（２９ａ）および（２９ｂ）の内部に配置され得ることが認識される。衝撃吸収要素は、パネル（１５）がスライドする経路（７）と位置合わせされるように、溝部（２９ａ）（図２Ａに最もよく確認できる）内に配置することができる。このように、パネル（１５）の縁部は、衝撃吸収要素（２８ａ）に当接するように構成され、その間の保護を提供する。同様に、第２の側部（２２ｂ）は、チャネル（２４）の内部で画定され、パネル（１５）のセグメントの面に当接するように構成される溝部（２９ｂ）に配置しうる衝撃吸収要素を含み得る。図２Ｂにおいて示されるように、図示された例に係る止め部材（３０）は、当接部分（２６）および第１の側部（２２ａ）に当接するように構成される第１の端部（３２ａ）と、および、パネル（１５）のセグメント（１７）に当接するように構成される第２の端部（３２ｂ）と、を有する矩形断面を有する。
【００３４】
ここで図３Ａから図４Ｃに着目すると、止め部材（３０）は、止め部材（３０）の第２の端部（３２ｂ）がパネル（１５）のセグメント（１７）と係合している係合状態（図３Ａおよび図４Ａ）と、止め部材（３０）の第２の端部（３２ｂ）がセグメント（１７）との係合を解いている非係合状態（図３Ｂおよび図４Ｂ）との間で、チャネル（２４）内に変位可能である。
【００３５】
図示された例において、矩形の止め部材（３０）は、非係合状態と係合状態との間で、軸を中心に回転するように構成される。従って、図３Ｂで示されるような非係合状態においては、止め部材（３０）の矩形断面は、セグメント（１７）に対し実質的に平行に配置され、その結果、パネル（１５）の縁部セグメント（１７）はチャネル（２４）の内部で、またはそのチャネルを通って、スライドしうる。しかしながら、係合状態において、止め部材（３０）の矩形断面は、パネル（１５）に対し角度をつけて配置され、その結果、その第１の端部（３２ａ）は当接部分（２６）および第１の側部（２５）と係合し、一方で、その第２の端部（３２ｂ）はパネル（１５）のセグメント（１７）と係合する。
【００３６】
この例によれば、パネルの縁部セグメント（１７）は、パネル（１５）の表面から止め部材（３０）へ突き出るショルダー部分（１９）を含んでもよい。ショルダー部分（１９）は、止め部材（３０）の係合状態において、その第２の端部（３２ｂ）がセグメント（１７）およびショルダー部分（１９）と係合するように構成される。したがって、止め部材（３０）は、係合状態で圧縮力がセグメント（１７）およびショルダー部分（１９）および止め部材（３０）に加えられるように構成される。この例に係る圧縮力は、係合状態で第１の側部（２２ａ）および当接部分（２６）の角の間に形成される一方、他方では、第１の側部（２２ａ）および第２の側部（２２ｂ）に形成されるが、パネル（１５）のセグメントおよび止め部材（３０）は、しっかりとその間に保持されている。
【００３７】
その結果、係合状態では、パネル（１５）の当接部分（２６）へのスライドは対抗し、その結果、固定機構は固定位置にあり、かつ、パネルは適所でロックされる。この位置では、止め部材（３０）によって第２の側部（２２ｂ）の方へ押されるセグメント（１７）は、第２の側部（２２ｂ）上の密閉要素（２８ｂ）に当接しうる。しかしながら、図３Ｃおよび図４Ｃに示されるように、非係合状態では、固定機構は解放され、かつ、パネルは自由に当接部分（２６）の方へ、そしてチャネル（２４）の外にスライドし、最終的にドアの開放位置にスライドする。
【００３８】
係合状態と非係合状態との間の止め部材（３０）の変位は、本例のように、固定された軸を中心とするその回転であってもよく、そうでなければ変位はその横方向の動きであってもよいことが認識される。回転変位の場合、止め部材は回転非対称の断面を含むことがさらに認識される。回転非対称は、止め部材（３０）が第１の配向と第２の配向との間で回転できるように構成されている。止め部材の第１の配向では、その一部はパネルのセグメントと係合し、一方、止め部材の第２の配向では、パネルとの係合を解く。
【００３９】
止め部材（３０）の横方向の変位の例でも、またはその回転変位の例でも、当接部分（２６）および第１の側部（２２ｂ）は、止め部材（３０）が少なくとも係合状態でそれとの係合を維持するように構成されていることが認識される。このように、係合状態では、止め部材（３０）およびパネル（１５）のセグメント（１７）は、一方では第１の側部（２２ａ）および当接部分（２６）の間で、他方では第１の側部（２２ａ）および第２の側部（２２ｂ）の間で圧縮される。
【００４０】
上記に示されるように、本例では、保持部材（２０）、チャネル（２４）および止め部材（３０）は、パネル（１５）の高さに沿って伸長し、その結果、止め部材（３０）がパネルの全長または少なくともその大部分と係合する。パネルの大部分との係合は、一位置に大きな力を及ぼすことなく、それを適所で固定することを容易にし、すなわち、パネルに加えられる力は、その高さのある部分に沿って拡散されることが認識される。
【００４１】
図１Ａおよび図１Ｂの例によれば、止め部材（３０）は、第１の端部（３２ａ）の近くに配置されたヒンジ（３５）に枢動可能に取り付けられ、当接部分（２６）および第１の側部（２２ａ）の角に隣接して保持部材（２０）に固定されることができる。ヒンジ（３５）は、係合状態と非係合状態との間で止め部材（３０）の回転を容易にする。
【００４２】
他の例によれば、当接部分（２６）の方へのパネル（１５）のスライドが対抗している係合状態と、および、パネルが自由に当接部分（２６）の方へかつチャネル（２４）の外へスライドする非係合状態との間、止め部材（３０）が回転することができる限り、ヒンジ（３５）は、チャネル（２４）内のどこにでも取り付けられることができると認識される。
【００４３】
止め部材（３０）の回転軸は、上述のように係合状態および非係合状態が維持される限り、その第１の端部（３２ａ）から離れて画定されうることが認識される。
【００４４】
係合状態と非係合状態との間での止め部材（３０）の変位は、止め部材に連結されたハンドル（３８）によって実行することができる。ハンドル（３８）は、孔部（４０）を介してチャネル（２４）から突き出るように構成され、それにより止め部材（３０）の変位を容易にすることができる。図２Ｂに図示される例によれば、ハンドル（３８）は、止め部材（３０）の第２の端部（３２ｂ）に近接して止め部材（３０）に取り付けられる一方、ヒンジ（３５）が止め部材（３０）の第１の端部（３２ａ）に近接して取り付けられている。このように、ハンドル（３８）によって、止め部材（３０）がヒンジ（３５）のまわりを回転することが促進される。
【００４５】
止め部材（３０）は、止め部材（３０）が係合状態で正常に配置されるように促進するように構成されたばね（４２）などの戻し機構をさらに備えることができる。ばね（４２）は、その一端が第１の側部（２２ａ）の内部表面を支持し、一方、その反対端が止め部材（３０）を支持するように構成されている。
【００４６】
このように、パネル（１５）は経路（７）に沿ってスライドすることができ、その結果、その縁部セグメント（１７）がチャネル（２４）に挿入される。パネル（１５）の縁部は、その係合状態に促進される止め部材（３０）と係合する、すなわち、パネル（１５）に対する角度で、チャネル内に斜めに配置される。したがって、パネル（１５）の縁部セグメント（１７）にあるショルダー部分（１９）は、ばね（４２）によって加えられる力に対抗して、止め部材（３０）を第１の側部（２２ａ）の方へ押す。ショルダー部分（１９）を有する縁部セグメント（１７）がチャネル（２４）の内部に完全に挿入され、第２の端部（３２ｂ）を通ると、止め部材（３０）は、ばねによってその係合位置まで自由に押し戻される。この位置では、パネル（１５）は止め部材（３０）によって固定され、チャネルの開口部（２５）の方向にスライドすることができない。このように、スライディングドアの場合、ドアは閉じられロックされる。ドアのロック解除は、ハンドル（３８）を、孔部（４０）を通じて引き、ばね（４２）によって加えられた力に打ち勝ち、止め部材（３０）をその非係合状態に変位させことによって達成される。このように、ショルダー部分（１９）および縁部セグメント（１７）は、もはや第２の端部（３２ｂ）、すなわち止め部材（３０）によって係合されず、パネルは自由に第１の輪郭部分の方へスライドし、すなわちドアまたは窓を開く。
【００４７】
ここで図５を参照すると、本開示の主題の実施例に係る止め部材を有するスライディングドア（５０）を示す。スライディングドア（５０）は、前述の例と同じ要素には同じ参照番号が付されており、第１の輪郭部分（５２）と第２の輪郭部分（５４）の間に画定される、窓などの、開口部（５５）を閉めるために構成される。図示された例によれば、開口部は、第１の輪郭部分（５２）の底部の縁部と、第２の輪郭部分（５４）の底部の縁部と、の間に配置される底部の輪郭部分（５６）をさらに含む。底部の輪郭部分（５６）は、パネル（１５）がスライドしうる経路（５７）を画定する。本例によれば、経路（５７）は、底部の輪郭部分（５６）に画定され、かつ、第１の輪郭部分（５２）と第２の輪郭部分（５４）との間に伸長してパネル（１５）が中をスライドできる、細長い溝である。
【００４８】
スライドドア（５０）は、保持部材（２０）をさらに含み、これは、図１Ａ〜図２Ａに示されたものと同一であることができ、かつ、第２の輪郭部分（５４）と一体的に形成された縦部材であってもよく、かつ、第２の側部（２２ｂ）に連結された第１の側部（２２ａ）を含むことができ、第２の側部（２２ｂ）は第１の側部（２２ａ）から離れて間隔をおかれ、それによって、それらの間にチャネル（２４）を画定する。チャネル（２４）は、パネル（１５）の少なくともセグメント（１７）をその中に受けるように構成され、本例によれば、ショルダー部分なしに提供されうる。
【００４９】
前述の例のように、保持部材（２０）は第１の側部（２２ａ）から、チャネル（２４）内部で横方向に伸長する当接部分（２６）をさらに含み、その縁部と第２の側部（２２ｂ）との間に開口部（２５）を画定する。開口部（２５）は、セグメント（１７）がその中を通り、チャネル（２４）へとスライドできるように構成される。
【００５０】
スライディングドア（５０）は、チャネル（２４）に配置される止め部材（６０）をさらに含み、それにより止め部材は当接部分（２６）および第１の側部（２２ａ）と係合する。
【００５１】
図５Ｂおよび図５Ｃに示されるように、図示された例に係る止め部材（６０）は、当接部分（２６）および第１の側部（２２ａ）に当接するように構成された第１の端部（６２ａ）と、パネル（１５）のセグメント（１７）に当接するように構成された第２の端部（６２ｂ）とを有する非対称の楕円形断面を有する。止め部材（６０）の非対称の楕円形断面は、回転非対称であり、これは、止め部材（６０）が第１の配向と第２の配向との間で回転できるように構成されている。止め部材（６０）の第１の配向では、その第２の端部（６２ｂ）はパネル（１５）の縁部セグメント（１７）と係合するように構成され、一方止め部材（６０）の第２の配向では、パネルとの係合を解くように構成されている。
【００５２】
図示される例によれば、非対称の楕円形断面は、止め部材（６０）の第１の端部（６２ａ）で画定される円形部分と、第２の端部（６２ｂ）で画定される突出部分とを含む。突出部分は、パネル（１５）のセグメント（１７）に選択的に係合するように構成される。
【００５３】
本例によれば、止め部材（６０）は、第１の端部（６２ａ）の近くに配置されたヒンジ（６５）に枢動可能に取り付けられ、当接部分（２６）および第１の側部（２２ａ）の角に隣接して保持部材（２０）に固定されることができる。ヒンジ（６５）は、その回転軸が、止め部材（６０）の断面が回転非対称である軸と平行になるように取り付けられていることが認識される。例えば、ヒンジ（６５）は、止め部材（６０）の第１の端部（６２ａ）で画定される円形部分の中心に取り付けられ得る。したがって、ヒンジ（６５）は、止め部材（６０）の回転変位を容易にし、かつ、第２の端部（６２ｂ）上で画定される突出部分を係合状態と非係合状態との間で選択的にシフトさせる。
【００５４】
図５Ａおよび図５Ｂで示されるように、第２の輪郭部分（５４）および第２の側部（２２ｂ）は、密閉要素（２８ａ）および（２８ｂ）を含むことができ、これは前の例のように、チャネル（２４）の内部に画定される溝部（２９ａ）および（２９ｂ）に配置され得る。
【００５５】
前の例のように、保持部材（２０）およびチャネル（２４）は、パネル（１５）の高さに沿って伸長することができ、したがって、止め部材（６０）は、その長さに沿ってチャネル（２４）の内部に配置される細長いロッドでありうる。したがって、止め部材（６０）は、当接部分（２６）および第１の側部（２２ａ）の全長に係合するように構成することができる。
【００５６】
前の例のように、係合状態と非係合状態との間での止め部材（６０）の変位は、それに連結されたハンドル（６８）によって実行することができる。ハンドル（６８）は、細長い孔部（４０）を介してチャネル（２４）から突き出るように構成され、それにより止め部材（６０）の変位を容易にすることができる。図示された例によれば、ハンドル（６８）は、第１の端部（６２ａ）、すなわち止め部材（６０）の円形部分に連結される。このようにして、ハンドル（６８）が細長い孔部（４０）を通って横方向に変位すると、止め部材（６０）がヒンジ（６５）を中心に回転し、その結果、第２の端部（６２ｂ）は係合状態と非係合状態との間で選択的にシフトされる。
【００５７】
止め部材（６０）は、止め部材（６０）が係合状態で正常に配置されることを促進するように構成されるばね（７２）などの戻し機構をさらに備えることができる。ばね（７２）は、その一端が第１の側部（２２ａ）の内部表面を支持し、一方、その反対端が止め部材（３０）から伸長する支持突起（７４）を支持するように構成されている。
【００５８】
他の例によるハンドルは、パネルに取り付けられ、止め部材の変位を始動させるように構成されうることが認識される。例えば、ハンドルは、パネルをスライドさせることができるように、止め部材をその非係合状態に変位させるように構成することができる。一例によれば、止め部材の始動は、パネルが経路に沿ってスライドする方向にハンドルを引くことによって行われるように、ハンドルを構成することができる。例えば、スライディングドアが開かれたときにパネルのスライドと同じ方向に引くようにハンドルを構成することができる。
【００５９】
ここで図６Ａから図７Ｃに着目すると、止め部材（６０）は、止め部材（６０）の第２の端部（６２ｂ）にある円形部分がパネル（１５）のセグメント（１７）と係合している係合状態（図６Ａおよび図７Ａ）と、止め部材（６０）の第２の端部（６２ｂ）にある突出部分がセグメント（１７）との係合を解いている非係合状態（図６Ｂおよび図７Ｂ）との間で、チャネル（２４）内で変位可能である。
【００６０】
結果として、係合状態では、パネル（１５）の当接部分（２６）の方へのスライドは対抗され、それによりパネルが適所にロックされる。この位置では、止め部材（６０）の第２の端部（６２ｂ）の突出部分によって第２の側部（２２ｂ）の方へ促進されるセグメント（１７）は、第２の側部（２２ｂ）上の衝撃吸収要素（２８ｂ）に当接しうる。しかしながら、非係合状態では、パネルは、図６Ｃおよび図７Ｃに示すように、当接部分（２６）の方へかつチャネル（２４）の外へ自由にスライドする。
【００６１】
図８Ａは、本開示の主題の別の実施例に係る固定機構を有するスライディングドア（８０）を示す。スライディングドア（８０）は、前述の例と同じ要素には同じ参照番号が付されており、第１の輪郭部分（１２）と第２の輪郭部分（１４）の間に画定される、窓などの、開口部を閉めるために構成される。パネル（１５）は、第１の輪郭部分（１２）と第２の輪郭部分（１４）との間にスライド可能に取り付けられている。
【００６２】
前の例のスライディングドアでのように、スライディングドア（８０）は、第２の側部（８２ｂ）に連結された第１の側部（８２ａ）を有する第２の輪郭部分（１４）に連結された保持部材をさらに含み、かつ、第２の側部（８２ｂ）は第１の側部（８２ａ）と離れて配置され、それによりチャネル（２４）をその間に画定する。チャネル（２４）は、パネル（１５）の少なくともセグメント（１７）をその中に受けるように構成されている。本例によれば、セグメント（１７）には、輪郭部分（１５）の縁部セグメント（１７）を中に挿入できるように構成された、Ｕ字形部分として図示される、係合縁部（９０）が設けられる。
【００６３】
前述の例のように、保持部材（２０）は、第１の側部（８２ａ）から、チャネル（２４）内部で横方向に伸長する当接部分（８６）をさらに含み、その縁部と第２の側部（８２ｂ）との間に開口部を画定する。開口部は、セグメント（１７）が、その中を通りチャネル（２４）へとスライドできるように構成される。
【００６４】
本例によれば、当接部分（８６）および第１の側部（８２ａ）は、ともに円形シート（８８）を画定する。円形シートは、図５Ｂおよび図５Ｃに示すものと同じであり得る、すなわち非対称の楕円形断面を有する止め部材（９２）を、その中に保持するように構成される。したがって、止め部材（９２）は、第１の端部で画定される円形部分（９４ａ）と、第２の端部で画定される突出部分（９４ｂ）とを含むことができる。円形部分（９４ａ）は、シート（８８）の内側に回転自在に配置されるように構成され、一方、突出部分（９４ｂ）は、シート（８８）の外へ突出するように構成される。すなわち、シートは、円形部分（９４ａ）の外側の輪郭（ｃｏｕｎｔｅｒ）に実質的に一致する形状で構成され、それにより、その中の止め部材の回転変位を容易にする。
【００６５】
突出部分（９４ｂ）は、パネル（１５）の縁部セグメント（１７）の方向に、または縁部セグメント（１７）から僅かに離れた方向にシート（８８）の外へ選択的に突き出すように構成され、このように、止め部材（９２）は、図８Ｂおよび図８Ｃにそれぞれ示されるように、係合状態と非係合状態との間で選択的にシフトされる。
【００６６】
本例によれば、係合縁部（９０）は、係合状態の突起部分（９４ｂ）に係合するように構成される凹部（９６）を含む。凹部（９６）は、パネル（１５）のセグメント（１７）のチャネル（２４）からのスライドにさらに対抗するように構成することができる。すなわち、凹部（９６）は、パネルに作用する圧縮力と協働し、止め部材の係合状態において、パネル（１５）はセグメント（１７）がチャネル（２４）内にロックされた状態を維持するように構成することができる。
【００６７】
別の例によれば、止め部材は、保持部材なしで、経路に沿った位置に隣接して経路に対して横方向に配置することができる。例えば、止め部材は、窓の上部の輪郭部分と底部の輪郭部分との間に伸長するヒンジに、枢動可能に取り付けることができる。したがって、止め部材は、止め部材がパネルのセグメントに係合し、それによりパネルのスライドを妨げる係合状態と、止め部材がセグメントとの係合を解いてパネルのスライドを可能にする非係合状態と、の間で変位可能であり得る。
【００６８】
本明細書に開示された主題に関係する当業者は、多数の変更、変形、および修正が、本発明の範囲から逸脱することなく、必要な変更を加えて、なされ得ることを容易に理解するであろう。
【図１Ａ】
0006788287.tif 000002
【図２Ａ】
0006788287.tif 000003
【図２Ｂ】
0006788287.tif 000004
【図３Ａ−３Ｃ】
0006788287.tif 000005
【図４Ａ】
0006788287.tif 000006
【図４Ｂ】
0006788287.tif 000007
【図４Ｃ】
0006788287.tif 000008
【図５Ａ】
0006788287.tif 000009
【図５Ｂ】
0006788287.tif 000010
【図５ｃ】
0006788287.tif 000011
【図６Ａ】
0006788287.tif 000012
【図６Ｂ】
0006788287.tif 000013
【図６Ｃ】
0006788287.tif 000014
【図７Ａ】
0006788287.tif 000015
【図７Ｂ】
0006788287.tif 000016
【図７Ｃ】
0006788287.tif 000017
【図８Ａ】
0006788287.tif 000018
【図８Ｂ】
0006788287.tif 000019
【図８Ｃ】
0006788287.tif 000020